(57)【要約】【課題】  処理途中の画像データに対応する画像を表示させる。【解決手段】  画像処理および表示装置３１−１には供給された動画像、画像処理および表示装置３１−２には拡大された動画像、画像処理および表示装置３１−３には、拡大され、変形された動画像が表示される。画像処理および表示装置３１−４にはディレイされた動画像、画像処理および表示装置３１−５には拡大された静止画像、画像処理および表示装置３１−６には変形された動画像が表示される。画像処理および表示装置３１−７には、ディレイされ、変形された動画像が表示され、画像処理および表示装置３１−８には、ディレイされ、変形された動画像と拡大された静止画像とが合成されて表示され、画像処理および表示装置３１−９には、ディレイされ、変形された動画像と、変形された動画像とが合成されて表示される。本発明は、画像処理装置または画像処理システムに適用できる。【選択図】図１１
2005203852.tif 000002
【特許請求の範囲】
【請求項１】
複数の画像処理装置で構成される画像処理システムにおいて、
前記画像処理装置は、
画像データを取得する取得手段と、
前記取得手段により取得された前記画像データに対して所定の処理を施す画像処理手段と、
前記画像処理手段により前記所定の処理が施された前記画像データを表示する表示手段と、
前記画像処理手段により前記所定の処理が施された前記画像データを出力する出力手段とを備える
ことを特徴とする画像処理システム。
【請求項２】
前記画像処理手段は、動画像に対応する前記画像データに対して所定の処理を施す
ことを特徴とする請求項１に記載の画像処理システム。
【請求項３】
前記取得手段は、複数の他の前記画像処理装置の前記出力手段により出力された前記画像データを取得する
ことを特徴とする請求項１に記載の画像処理システム。
【請求項４】
前記出力手段は、複数の他の前記画像処理装置に、前記画像処理手段により前記所定の処理が施された前記画像データを出力する
ことを特徴とする請求項１に記載の画像処理システム。
【請求項５】
前記画像処理装置は、
複数の前記画像処理手段を備え、
ユーザの操作を受ける操作入力手段と、
前記操作入力手段により入力された前記ユーザの操作入力を基に、複数の前記画像処理手段のうち、前記取得手段により取得された前記画像データに対して所定の処理を施す前記画像処理手段を選択する選択手段とを更に備える
ことを特徴とする請求項１に記載の画像処理システム。
【請求項６】
前記画像処理装置は、
複数の前記出力手段を備え、
前記処理手段により処理された前記画像データを出力する前記出力手段を選択する選択手段を更に備える
ことを特徴とする請求項１に記載の画像処理システム。
【請求項７】
複数の画像処理装置で構成される画像処理システムの画像処理方法において、
前記画像処理装置が実行する処理は、
画像データを取得する取得ステップと、
前記取得ステップの処理により取得された前記画像データに対して所定の処理を施す画像処理ステップと、
前記画像処理ステップの処理により前記所定の処理が施された前記画像データを表示する表示ステップと、
前記画像処理ステップの処理により前記所定の処理が施された前記画像データを出力する出力ステップとを含む
ことを特徴とする画像処理方法。
【請求項８】
複数の画像処理部で構成される画像処理装置において、
前記画像処理部は、
画像データを取得する取得手段と、
前記取得手段により取得された前記画像データに対して所定の処理を施す処理手段と、
前記画像処理手段により前記所定の処理が施された前記画像データを表示する表示手段と、
前記画像処理手段により前記所定の処理が施された前記画像データを出力する出力手段とを備える
ことを特徴とする画像処理装置。
【請求項９】
前記処理手段は、動画像に対応する前記画像データに対して所定の処理を施す
ことを特徴とする請求項８に記載の画像処理装置。
【請求項１０】
前記画像処理部は、
複数の前記画像処理手段を備え、
ユーザの操作を示す信号を取得する操作入力取得手段と、
前記操作入力取得手段により取得された前記ユーザの操作入力を示す信号を基に、複数の前記処理手段のうち、前記取得手段により取得された前記画像データに対して所定の処理を施す前記処理手段を選択する選択手段とを更に備える
ことを特徴とする請求項８に記載の画像処理装置。
【請求項１１】
前記画像処理部は、
複数の前記取得手段を備え、
ユーザの操作を示す信号を取得する操作入力取得手段と、
前記操作入力取得手段により取得された前記ユーザの操作入力を示す信号を基に、複数の前記取得手段により取得される前記画像データのうち、前記処理手段により処理される前記画像データを選択する選択手段を更に備える
ことを特徴とする請求項８に記載の画像処理装置。
【請求項１２】
前記画像処理部は、
複数の前記出力手段を備え、
ユーザの操作を示す信号を取得する操作入力取得手段と、
前記操作入力取得手段により取得された前記ユーザの操作入力を示す信号を基に、前記処理手段により処理された前記画像データを出力する前記出力手段を選択する選択手段を更に備える
ことを特徴とする請求項８に記載の画像処理装置。
【請求項１３】
複数の画像処理部で構成される画像処理装置の画像処理方法において、
画像データを取得する取得ステップと、
前記取得ステップの処理により取得された前記画像データに対して所定の処理を施す処理ステップと、
前記画像処理ステップの処理により前記所定の処理が施された前記画像データを表示する表示ステップと、
前記画像処理ステップの処理により前記所定の処理が施された前記画像データを出力する出力ステップと
を含むことを特徴とする画像処理方法。
【発明の詳細な説明】
【技術分野】
【０００１】
本発明は、画像処理装置および画像処理方法、並びに、画像処理システムに関し、特に、画像データを処理し、処理により作成される画像を表示する場合に用いて好適な、画像処理装置および画像処理方法、並びに、画像処理システムに関する。
【背景技術】
【０００２】
従来、例えば、拡大、縮小、回転、変形など、ユーザの操作入力により指定される複数の画像処理の組合せによって画像データを加工することができるようになされている。画像データを加工する場合、組み合わせて施される画像処理の順番によって、最終的に作成される画像データは異なるものとなるときがある。例えば、９０度回転処理と、縦倍率のみ５０％とする変形処理とが組合せに含まれている場合、回転処理と変形処理のいずれが先に画像データに施されるかによって、最終的に作成される画像データは異なるものとなる。
【０００３】
また、動画像に対して、上述したように、例えば、拡大、縮小、回転、変形など、ユーザの操作入力により指定される複数の画像処理を組み合わせて画像データを加工するような場合、それぞれの処理を実行可能な処理基板やＩＣを画像処理装置内に予め備えるようにしておき、画像処理装置内部で、処理に用いられる基板またはＩＣが切り換えられることにより、施される処理が切り換えられるようになされていた。
【０００４】
従来、１つの情報処理装置内に複数の処理基板を導入して、基板間のデータ通信を無線により行うことにより、それら複数の基板の組合せによって、複数の機能を実現することができる技術がある（例えば、特許文献１）。
【特許文献１】特開２００３−１７９８２１
【発明の開示】
【発明が解決しようとする課題】
【０００５】
しかしながら、従来の技術によって、複数の画像処理を組み合わせて画像を加工する場合、ユーザの操作入力により指定される画像処理の組合せによって決まる最終的な加工結果は表示されるようになされているが、加工の途中の段階で作成される画像をユーザが参照することができなかった。このため、ユーザは、加工された画像の内容を変更したい場合、現在表示されている最終的な画像に対して、更に施される追加の処理を選択することしかできず、例えば、途中で施される処理の一部を変更した場合の効果を予想したり、処理を施す順番を一部変更した場合に最終的に得られる画像を予想して、途中の処理を変更することにより、所望の加工画像を得ることは、容易ではなかった。
【０００６】
また、１つの情報処理装置内に複数の処理基板を導入して、基板間のデータ通信を行うことにより、それら複数の基板の組合せによって、複数の機能を実現することができるようになされている場合、ユーザが必要としない処理を実行する基板があったとしても、不要な処理基板を含む情報処理装置をセットで購入しなければならない場合があり、ユーザが必要な処理のみを選択的に購入して、簡単に組み合わせることは困難であった。
【０００７】
本発明はこのような状況に鑑みてなされたものであり、画像データに対して複数の画像処理を行うことにより画像を加工する場合、ユーザにとって所望の処理の組合せを簡単に行うことができ、最終的に作成される画像およびそれぞれの画像処理の過程で作成される画像を表示することができるようにするものである。
【課題を解決するための手段】
【０００８】
本発明の画像処理システムは、複数の画像処理装置で構成される画像処理システムであって、画像処理装置は、画像データを取得する取得手段と、取得手段により取得された画像データに対して所定の処理を施す画像処理手段と、画像処理手段により所定の処理が施された画像データを表示する表示手段と、画像処理手段により所定の処理が施された画像データを出力する出力手段とを備えることを特徴とする。
【０００９】
画像処理手段には、動画像に対応する画像データに対して所定の処理を施させるようにすることができる。
【００１０】
取得手段には、複数の他の画像処理装置の出力手段により出力された画像データを取得させるようにすることができる。
【００１１】
出力手段には、複数の他の画像処理装置に、画像処理手段により所定の処理が施された画像データを出力させるようにすることができる。
【００１２】
画像処理装置には、複数の画像処理手段を備えさせるようにすることができ、ユーザの操作を受ける操作入力手段と、操作入力手段により入力されたユーザの操作入力を基に、複数の画像処理手段のうち、取得手段により取得された画像データに対して所定の処理を施す画像処理手段を選択する選択手段とを更に備えさせるようにすることができる。
【００１３】
画像処理装置には、複数の出力手段を備えさせるようにすることができ、処理手段により処理された画像データを出力する出力手段を選択する選択手段を更に備えさせるようにすることができる。
【００１４】
本発明の第１の画像処理方法は、複数の画像処理装置で構成される画像処理システムの画像処理方法であって、画像処理装置が実行する処理は、画像データを取得する取得ステップと、取得ステップの処理により取得された画像データに対して所定の処理を施す画像処理ステップと、画像処理ステップの処理により所定の処理が施された画像データを表示する表示ステップと、画像処理ステップの処理により所定の処理が施された画像データを出力する出力ステップとを含むことを特徴とする。
【００１５】
本発明の画像処理システムおよび第１の画像処理法においては、複数の画像処理装置で、画像データが取得され、取得された画像データに対して所定の処理が施され、所定の処理が施された画像データが表示され、所定の処理が施された画像データが出力される。
【００１６】
本発明の画像処理装置は、複数の画像処理部で構成され、画像処理部は、画像データを取得する取得手段と、取得手段により取得された画像データに対して所定の処理を施す処理手段と、画像処理手段により所定の処理が施された画像データを表示する表示手段と、画像処理手段により所定の処理が施された画像データを出力する出力手段とを備えることを特徴とする。
【００１７】
処理手段には、動画像に対応する画像データに対して所定の処理を施させるようにすることができる。
【００１８】
画像処理部には、複数の画像処理手段を備えさせるようにすることができ、ユーザの操作を示す信号を取得する操作入力取得手段と、操作入力取得手段により取得されたユーザの操作入力を示す信号を基に、複数の処理手段のうち、取得手段により取得された画像データに対して所定の処理を施す処理手段を選択する選択手段とを更に備えさせるようにすることができる。
【００１９】
画像処理部には、複数の取得手段を備えさせるようにすることができ、ユーザの操作を示す信号を取得する操作入力取得手段と、操作入力取得手段により取得されたユーザの操作入力を示す信号を基に、複数の取得手段により取得される画像データのうち、処理手段により処理される画像データを選択する選択手段を更に備えさせるようにすることができる。
【００２０】
画像処理部には、複数の出力手段を備えさせるようにすることができ、ユーザの操作を示す信号を取得する操作入力取得手段と、操作入力取得手段により取得されたユーザの操作入力を示す信号を基に、処理手段により処理された画像データを出力する出力手段を選択する選択手段を更に備えさせるようにすることができる。
【００２１】
本発明の第２の画像処理方法は、複数の画像処理部で構成される画像処理装置の画像処理方法であって、画像データを取得する取得ステップと、取得ステップの処理により取得された画像データに対して所定の処理を施す処理ステップと、画像処理ステップの処理により所定の処理が施された画像データを表示する表示ステップと、画像処理ステップの処理により所定の処理が施された画像データを出力する出力ステップとを含むことを特徴とする。
【００２２】
本発明の画像処理装置および第２の画像処理法においては、複数の画像処理部で、画像データが取得され、取得された画像データに対して所定の処理が施され、所定の処理が施された画像データが表示され、所定の処理が施された画像データが出力される。
【発明の効果】
【００２３】
本発明によれば、複数の画像処理を組み合わせて、画像データを加工することができ、特に、所定の画像処理を実行する複数の装置を組み合わせて画像データを加工し、その複数の処理による画像の加工の途中に生成された画像データを表示させるようにすることができるので、ユーザは、途中の処理を変更することにより、所望の画像データを容易に作成することができるとともに、必要な処理を実行する装置のみでシステムを構成することができる。
【００２４】
また、他の本発明によれば、複数の画像処理を組み合わせて、画像データを加工することができ、特に、複数の画像処理を組み合わせて画像データを加工し、その複数の処理による画像の加工の途中に生成された画像データを表示させるようにすることができるので、ユーザは、途中の処理を変更することにより、所望の画像データを容易に作成することができる。
【発明を実施するための最良の形態】
【００２５】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２６】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００２７】
請求項１の画像処理システムは、複数の画像処理装置で構成される画像処理システム（例えば、図１、図５、または図１３に示される画像処理システム）であって、画像処理装置（例えば、図１の画像処理装置１、図５の画像処理装置３１、または図１３の画像処理装置８１）は、画像データを取得する取得手段（例えば、図２、図６または図１４の画像入力部１１）と、取得手段により取得された画像データに対して所定の処理（例えば、画像の拡大、縮小、変形、回転、色反転、合成、置き換え、ディレイ、スチルなど）を施す画像処理手段（例えば、図２の画像処理部１２、図６の画像処理部４１または図１４の画像処理部９２−１および９２−２）と、画像処理手段により所定の処理が施された画像データを表示する表示手段（例えば、図２、図６または図１４の表示部１４）と、画像処理手段により所定の処理が施された画像データを出力する出力手段（例えば、図２、図６または図１４の出力部１５）とを備える。
【００２８】
画像処理装置は、複数の画像処理手段（例えば、図１４の画像処理部９２−１および９２−２）を備えることができ、ユーザの操作を受ける操作入力手段（例えば、図１４の操作入力部１３）と、操作入力手段により入力されたユーザの操作入力を基に、複数の画像処理手段のうち、取得手段により取得された画像データに対して所定の処理を施す画像処理手段を選択する選択手段（例えば、図１４の画像処理切り換え部９１）とを更に備えることができる。
【００２９】
画像処理装置は、複数の出力手段（例えば、図６の画像出力部１５−１乃至画像出力部１５−ｍ）を備えることができ、処理手段により処理された画像データを出力する出力手段を選択する選択手段（例えば、スイッチ）を更に備えることができる。
【００３０】
請求項７の画像処理方法は、複数の画像処理装置で構成される画像処理システム（例えば、図１、図５、または図１３に示される画像処理システム）の画像処理方法であって、画像処理装置（例えば、図１の画像処理装置１、図５の画像処理装置３１、または図１３の画像処理装置８１）が実行する処理は、画像データを取得する取得ステップ（例えば、図３のステップＳ１、図７のステップＳ２１または図１５のステップＳ４２の処理）と、取得ステップの処理により取得された画像データに対して所定の処理（例えば、画像の拡大、縮小、変形、回転、色反転、合成、置き換え、ディレイ、スチルなど）を施す画像処理ステップ（例えば、図３のステップＳ２、図７のステップＳ２２または図１５のステップＳ４３の処理）と、画像処理ステップの処理により所定の処理が施された画像データを表示する表示ステップ（例えば、図３のステップＳ３、図７のステップＳ２３または図１５のステップＳ４４の処理）と、画像処理ステップの処理により所定の処理が施された画像データを出力する出力ステップ（例えば、図３のステップＳ４、図７のステップＳ２４または図１５のステップＳ４５の処理）とを含むことを特徴とする。
【００３１】
請求項８の画像処理装置は、複数の画像処理部（例えば、図１８の画像処理および表示処理部１４１）で構成される画像処理装置（例えば、図１８の画像処理装置１２１）であって、画像処理部は、画像データを取得する取得手段（例えば、図１９の画像入力部１１）と、取得手段により取得された画像データに対して所定の処理（例えば、画像の拡大、縮小、変形、回転、色反転、合成、置き換え、ディレイ、スチルなど）を施す処理手段（例えば、図１９の画像処理部９２−１および９２−２）と、画像処理手段により所定の処理が施された画像データを表示する表示手段（例えば、図１９の表示部１４）と、画像処理手段により所定の処理が施された画像データを出力する出力手段（例えば、図１９の出力部１５）とを備えることを特徴とする。
【００３２】
画像処理部は、複数の画像処理手段（例えば、図１９の画像処理部９２−１および９２−２）を備えることができ、ユーザの操作を示す信号を取得する操作入力取得手段（例えば、図１９の操作入力信号取得部１５１）と、操作入力取得手段により取得されたユーザの操作入力を示す信号を基に、複数の処理手段のうち、取得手段により取得された画像データに対して所定の処理を施す処理手段を選択する選択手段（例えば、図１９の画像処理切り換え部９１）とを更に備えることができる。
【００３３】
画像処理部は、複数の取得手段を備えることができ、ユーザの操作を示す信号を取得する操作入力取得手段（例えば、図１９の操作入力信号取得部１５１）と、操作入力取得手段により取得されたユーザの操作入力を示す信号を基に、複数の取得手段により取得される画像データのうち、処理手段により処理される画像データを選択する選択手段（例えば、図１９の入力画像切り換え部１５２）を更に備えることができる。
【００３４】
画像処理部は、複数の出力手段を備えることができ、ユーザの操作を示す信号を取得する操作入力取得手段（例えば、図１９の操作入力信号取得部１５１）と、操作入力取得手段により取得されたユーザの操作入力を示す信号を基に、処理手段により処理された画像データを出力する出力手段を選択する選択手段（例えば、図１９の画像出力先切り換え部１５３）を更に備えることができる。
【００３５】
請求項１３の画像処理方法は、複数の画像処理部（例えば、図１８の画像処理および表示処理部１４１）で構成される画像処理装置（例えば、図１８の画像処理装置１２１）の画像処理方法であって、画像データを取得する取得ステップ（例えば、図２０のステップＳ６３の処理）と、取得ステップの処理により取得された画像データに対して所定の処理（例えば、画像の拡大、縮小、変形、回転、色反転、合成、置き換え、ディレイ、スチルなど）を施す処理ステップ（例えば、図２０のステップＳ６４の処理）と、画像処理ステップの処理により所定の処理が施された画像データを表示する表示ステップ（例えば、図２０のステップＳ６５の処理）と、画像処理ステップの処理により所定の処理が施された画像データを出力する出力ステップ（例えば、図２０のステップＳ６６の処理）とを含むことを特徴とする。
【００３６】
以下、図を参照して、本発明の実施の形態について説明する。
【００３７】
図１は、本発明を適応した第１の実施の形態における画像処理システムの構成例を示すブロック図である。
【００３８】
図１の画像処理システムは、画像処理および表示装置１−１乃至画像処理および表示装置１−９により構成されている。画像処理および表示装置１−１乃至画像処理および表示装置１−９は、それぞれ、入力画像に対して、所定の１種類の画像処理を施して、処理結果を表示するとともに、処理結果の画像データを出力することができるようになされている。また、画像処理および表示装置１−１乃至画像処理および表示装置１−９は、それぞれ、所定のケーブルにより他の装置と接続され、複数の入力画像を取得することができるとともに、複数の出力先に処理結果の画像データを出力することができるようになされている。画像データの供給元、または、画像データの出力先の変更は、予め複数の装置間がケーブルで接続されている場合、スイッチなどを設け、そのスイッチを適宜制御することにより、任意の装置間の接続関係を構築することができるようにしたり、装置間のケーブルの接続を変更することにより容易に行うことができる。
【００３９】
ここでは、画像処理および表示装置１−１は、入力画像を表示するのみとして、入力画像を画像処理および表示装置１−２並びに画像処理および表示装置１−４に出力する。画像処理および表示装置１−２は、供給された画像データを所定の倍率（例えば、入力画像に対して２００％）に拡大して、拡大された画像を表示するとともに、画像処理および表示装置１−３並びに画像処理および表示装置１−５に供給する。画像処理および表示装置１−３は、供給された画像データを変形（例えば、横方向のみ入力画像に対して３０％に縮小して変形）し、変形された画像を表示するとともに、画像処理および表示装置１−６に供給する。
【００４０】
画像処理および表示装置１−４は、供給された画像データの色を反転し、色反転された画像を表示するとともに、画像処理および表示装置１−７に供給する。画像処理および表示装置１−５は、供給された画像データを回転（例えば、左方向に９０度回転）させて、回転された画像を表示するとともに、画像処理および表示装置１−８に供給する。画像処理および表示装置１−６は、供給された画像データを縮小（例えば、入力画像に対して５０％に縮小）して、縮小された画像を表示するとともに、画像処理および表示装置１−９に供給する。
【００４１】
画像処理および表示装置１−７は、供給された画像データを回転（例えば、右方向に９０度回転）させて、回転された画像を表示するとともに、画像処理および表示装置１−８に供給する。画像処理および表示装置１−８は、画像処理および表示装置１−５並びに画像処理および表示装置１−７から供給された画像データを合成（例えば、それぞれの画像の一部を、作成される画像の右半分と左半分にそれぞれ配置）して、合成された画像を表示するとともに、画像処理および表示装置１−９に供給する。画像処理および表示装置１−９は、供給された一方の画像データのうちの一部を、他方の画像データの一部と置き換えて（例えば、画像処理および表示装置１−８から供給された画像データのうちの左半分を、画像処理および表示装置１−６から供給される画像データの中央部分と置き換えて）、一部置き換えにより作成された画像を表示するとともに、作成された画像データを必要に応じて出力可能なようになされている。
【００４２】
以下、画像処理および表示装置１−１乃至画像処理および表示装置１−９を個々に区別する必要がない場合、単に、画像処理および表示装置１と総称する。
【００４３】
なお、第１の実施の形態においては、以下、図１に示されるように画像処理および表示装置１−１乃至画像処理および表示装置１−９の９つの装置を用いて画像処理システムを構成するものとして説明しているが、本発明を適用した画像処理システムを構成する画像処理および表示装置１の数は、９以外のいかなる数であってもかまわないことは言うまでもない。
【００４４】
図２は、画像処理および表示装置１の構成を示すブロック図である。
【００４５】
画像入力部１１−１乃至画像入力部１１−ｎは、所定のケーブルを介して、他の装置から画像データの入力を受け、画像処理部１２に供給する。画像処理部１２は、操作入力部１３から供給されるユーザの操作入力に基づいて設定されるパラメータで、所定の画像処理を実行し、画像処理の結果得られた画像データを表示部１４および画像出力部１５−１乃至画像出力部１５−ｍに供給する。画像処理部１２は、拡大、縮小、変倍などを含む画像の変形、回転、色反転、合成、一部置き換えなどのほかに、例えば、画像の左右反転や上下反転などの処理も可能であり、更に、カラー画像をグレースケール表示したり、コントラスト、明度、彩度などを変更したり、２値化したり、画像データに対してフィルタリングやマスクを施す処理などが可能である。また、画像処理部１２は、操作入力部１３から供給されるユーザの操作入力により、拡大、縮小、縦横変倍などの倍率の設定を受けたり、画像の一部置き換えの置き換え箇所の指定を受けたり、もしくは、コントラスト、明度、または、彩度などの調整を受け、画像処理のパラメータの設定を変更することが可能なようになされている。なお、画像処理および表示装置１−１の画像処理部１２は、入力画像に対して、特に処理を施さず、そのまま表示部１４に出力して表示させるようになされている。
【００４６】
操作入力部１３は、ボタン、キー、レバー、タッチパネルなどの操作入力部や、図示しないリモートコマンダからの赤外線信号などを受信可能な赤外線受信部により構成され、ユーザの操作入力を受け、ユーザの操作入力に対応する信号を、画像処理部１２に供給する。表示部１４は、例えば、液晶パネルやＣＲＴ（Cathode Ray Tube）などで構成され、画像処理部１２から供給された画像データに対応する画像を表示する。画像出力部１５−１乃至画像出力部１５−ｍは、所定のケーブルを介して、他の装置へ処理後の画像データを出力する。また、予め複数の装置間がケーブルで接続されている場合、画像出力部１５−１乃至画像出力部１５−ｍのそれぞれの入力または出力にスイッチを設け、そのスイッチがユーザにより、または、ソフトウェアの制御により適宜切り換えられることにより、ユーザが所望する他の装置へ処理後の画像データを出力することができるようにしても良い。
【００４７】
次に、図３のフローチャートを参照して、画像処理および表示装置１が実行する画像処理１について説明する。
【００４８】
ステップＳ１において、画像入力部１１−１乃至画像入力部１１−ｎのうちのいずれか少なくとも１つは、画像データを取得し、画像処理部１２に供給する。
【００４９】
ステップＳ２において、画像処理部１２は、画像入力部１１−１乃至画像入力部１１−ｎのうちのいずれか少なくとも１つから供給された画像データに対して、所定の画像処理を実行して、処理済の画像データを、表示部１４および画像出力部１５−１乃至画像出力部１５−ｍのうちの所定の画像出力部に供給する。
【００５０】
ステップＳ３において、表示部１４は、画像処理部１２から供給された画像データに対応する画像を表示する。
【００５１】
ステップＳ４において、画像出力部１５−１乃至画像出力部１５−ｍのうちの少なくとも１つは、画像処理部１２から供給された画像データを、所定のケーブルを介して他の装置に出力し、処理が終了される。また、画像出力部１５−１乃至画像出力部１５−ｍのうち、他の装置に画像データを出力する画像出力部は、所定のケーブルが接続されているか否かにより選択されるようにしても、図示しないスイッチの切り替えにより選択されるようにしても、ユーザの操作入力にしたがって、画像処理部１２が選択することができるようにしても良い。すなわち、画像出力部１５−１乃至画像出力部１５−ｍのうち、他の装置に画像データを出力する画像出力部は、ハードウェアまたはソフトウェアのどちらの制御によって切り換えられるようにしても良い。
【００５２】
このような処理により、画像処理および表示装置１は、供給された画像データに対して、画像処理を施し、その結果を表示するとともに、他の装置に出力する。
【００５３】
次に、図３を用いて説明した画像処理１のステップＳ２において、図１を用いて説明したような画像処理をそれぞれ実行することが可能な画像処理および表示装置１−１乃至画像処理および表示装置１−９が、図１を用いて説明したように接続されていた場合の表示部１４の表示画面について、図４を用いて説明する。
【００５４】
以下、画像処理および表示装置１−１に、図４における画像処理および表示装置１−１の表示部１４に表示されるような、りんごの絵に対応する画像データが入力されたものとして説明する。
【００５５】
画像処理および表示装置１−１は、入力画像データに対応する画像を表示部１４に表示する。画像処理および表示装置１−２は、画像処理および表示装置１−１から供給された画像データを拡大する処理を実行するので、表示部１４には、拡大されたりんごの画像が表示される。画像処理および表示装置１−３は、画像処理および表示装置１−２から供給された画像データを変形する処理を実行するので、表示部１４には、拡大されたりんごを縦長に変形した画像が表示される。
【００５６】
画像処理および表示装置１−４は、画像処理および表示装置１−１から供給された画像データの色を反転する処理を実行するので、表示部１４には、色反転されたりんごの画像が表示される。画像処理および表示装置１−５は、画像処理および表示装置１−２から供給された画像データを回転する処理を実行するので、表示部１４には、拡大され、左に９０度回転されたりんごの画像が表示される。画像処理および表示装置１−６は、画像処理および表示装置１−３から供給された画像を縮小する処理を実行するので、拡大され、縦長に変形されたりんごが、更に縮小された画像データが生成される。例えば、画像処理および表示装置１−２の拡大率が２００％であり、画像処理および表示装置１−６の縮小率が５０％であるならば、画像処理および表示装置１−６の表示部１４には、縦長に変形されたりんごの画像が表示される。
【００５７】
画像処理および表示装置１−７は、画像処理および表示装置１−４から供給された画像データを回転させる処理を実行するので、表示部１４には、色反転されて左に９０度回転されたりんごの画像が表示される。画像処理および表示装置１−８は、画像処理および表示装置１−５並びに画像処理および表示装置１−７から供給された画像を合成する処理を実行するので、表示部１４には、右半分に拡大され、左に９０度回転されたりんごの画像、左半分に色反転されて左に９０度回転されたりんごの画像が表示される。画像処理および表示装置１−９は、画像処理および表示装置１−８から供給された画像データの一部を画像処理および表示装置１−６から供給された画像データの一部と置き換える処理を実行するので、表示部１４には、右半分に縦長に変形されたりんごの画像、左半分に色反転されて左に９０度回転されたりんごの画像が表示される。
【００５８】
ユーザは、画像処理および表示装置１−１乃至画像処理および表示装置１−９のそれぞれの表示部１４に表示される、入力画像、加工途中の画像、および、最終的に得られる画像を、全て参照することができるので、それらの表示画像を参照しながら装置の接続を変更、すなわち、装置間の接続関係を変更し、途中の処理過程を変更することにより、簡単に、所望の画像を得ることが可能となる。
【００５９】
例えば、最終的に得られる加工画像データに対応する画像を表示する画像処理および表示装置１−９の表示部１４に表示されている画像のうち、左半分に表示されている色反転されて左に９０度回転されたりんごの画像を、拡大させて表示させたい場合、図示しない経路によって処理過程を変更し、画像処理および表示装置１−７から出力される信号を、画像処理および表示装置１−２に入力し、画像処理および表示装置１−２から出力される信号を、画像処理および表示装置１−８に供給するようにすればよい。また、最終的に得られる加工画像データに対応する画像を表示する画像処理および表示装置１−９の表示部１４に表示されている画像のうち、右半分に表示される縦長に変形されたりんごの画像を、回転されているが、拡大、縮小、または、変形されていないりんごの画像に変更したいとき、図示しない経路によって処理過程を変更し、画像処理および表示装置１−１から出力される信号を画像処理および表示装置１−５に供給し、画像処理および表示装置１−５から出力される信号を、画像処理および表示装置１−９に供給するようにすればよい。
【００６０】
このようにして、ユーザは、画像処理および表示装置１−１乃至画像処理および表示装置１−９のそれぞれの表示部１４に表示される、入力画像、加工途中の画像、および、最終的に得られる画像を参照し、装置の接続を変更、すなわち、装置間の接続関係を変更し、途中の処理過程を変更することにより、簡単に、所望の画像を得ることが可能となる。
【００６１】
また、ユーザは、必要な画像処理を実行可能な画像処理および表示装置１を選択して、必要な数だけ購入することができるので、例えば、不必要な処理を実行する機能を含む複数の基板が予め装着された装置を購入するときのように、不必要な処理を実行する機能に対して代金を支払う必要がなくなる。
【００６２】
図５は、本発明を適応した第２の実施の形態における画像処理システムの構成例を示すブロック図である。
【００６３】
図５の画像処理システムは、画像処理および表示装置３１−１乃至画像処理および表示装置３１−９により構成されている。画像処理および表示装置３１−１乃至画像処理および表示装置３１−９は、それぞれ、入力されるフレーム画像データに対して、所定の１種類の画像処理を施して、処理結果による動画像を表示するとともに、処理結果のフレーム画像データを出力することができるようになされている。また、画像処理および表示装置３１−１乃至画像処理および表示装置３１−９は、それぞれ、所定のケーブルにより他の装置と接続され、複数の入力フレーム画像データを取得することができるとともに、複数の出力先に処理結果のフレーム画像データを出力することができるようになされている。フレーム画像データの供給元、または、フレーム画像データの出力先の変更は、予め複数の装置間がケーブルで接続されている場合、スイッチなどを設け、そのスイッチを適宜制御することにより、任意の装置間の接続関係を構築することができるようにしたり、装置間のケーブルの接続を変更することにより容易に行うことができる。
【００６４】
ここでは、画像処理および表示装置３１−１は、入力された動画像を表示するのみとして、入力フレーム画像を画像処理および表示装置３１−２並びに画像処理および表示装置３１−４に出力する。画像処理および表示装置３１−２は、供給されたフレーム画像データを所定の倍率（例えば、入力画像に対して２００％）に拡大して、拡大された動画像を表示するとともに、画像処理および表示装置３１−３並びに画像処理および表示装置３１−５に供給する。画像処理および表示装置３１−３は、供給されたフレーム画像データを変形（例えば、横方向のみ入力画像に対して３０％に縮小して変形）し、変形された動画像を表示するとともに、画像処理および表示装置３１−６に供給する。
【００６５】
画像処理および表示装置３１−４は、供給されたフレーム画像データを所定時間ディレイ（遅延）させ、ディレイされた動画像を表示するとともに、画像処理および表示装置３１−７に供給する。画像処理および表示装置３１−５は、供給されたフレーム画像データを、ユーザが指定したタイミングで静止（スチル）し、得られた静止画像を表示するとともに、指定されたタイミングで得られたフレーム画像データを、動画像データを構成するフレーム画像データと同様のフレームレートで、画像処理および表示装置３１−８に供給する。画像処理および表示装置３１−６は、供給されたフレーム画像データを縮小（例えば、入力画像に対して５０％に縮小）して、縮小された動画像を表示するとともに、画像処理および表示装置３１−９に供給する。
【００６６】
画像処理および表示装置３１−７は、供給されたフレーム画像データを変形（例えば、横方向のみ入力画像の１５０％に拡大）させて、変形された動画像を表示するとともに、画像処理および表示装置３１−８に供給する。画像処理および表示装置３１−８は、画像処理および表示装置３１−５並びに画像処理および表示装置３１−７から供給されたフレーム画像データを合成（例えば、それぞれの動画像の少なくとも一部を、作成される画像の右半分と左半分にそれぞれ配置）して、合成された動画像を表示するとともに、画像処理および表示装置３１−９に供給する。画像処理および表示装置３１−９は、供給された一方のフレーム画像データのうちの一部を、他方のフレーム画像データの一部と置き換えて（例えば、画像処理および表示装置３１−８から供給されたフレーム画像データのうちの左半分を、画像処理および表示装置３１−６から供給されるフレーム画像データの中央部分と置き換えて）、一部置き換えにより作成された動画像を表示するとともに、作成されたフレーム画像データを必要に応じて出力可能なようになされている。
【００６７】
以下、画像処理および表示装置３１−１乃至画像処理および表示装置３１−９を個々に区別する必要がない場合、単に、画像処理および表示装置３１と総称する。
【００６８】
なお、第２の実施の形態においては、以下、図５に示されるように画像処理および表示装置３１−１乃至画像処理および表示装置３１−９の９つの装置を用いて画像処理システムを構成するものとして説明しているが、本発明を適用した画像処理システムを構成する画像処理および表示装置３１の数は、９以外のいかなる数であってもかまわないことは言うまでもない。
【００６９】
図６は、画像処理および表示装置３１の構成を示すブロック図である。なお、図２における場合と対応する部分には同一の符号を付してあり、その説明は適宜省略する。
【００７０】
すなわち、図６の画像処理および表示装置３１は、画像処理部１２に代わって、動画像の処理が可能な画像処理部４１が設けられている以外は、図２の画像処理および表示装置１と同様の構成を有するものである。
【００７１】
画像処理部４１は、拡大、縮小、変倍などを含む画像の変形、回転、色反転、合成、一部置き換え、静止画像の保持、動画像の遅延処理（入力されたフレーム画像データを、内部のフレームメモリに一定時間保持してから出力する処理）などのほかに、例えば、画像の左右反転や上下反転などの処理も可能であり、更に、カラー画像をグレースケール表示したり、コントラスト、明度、彩度などを変更したり、２値化したり、画像データに対してフィルタリングやマスクを施す処理などが可能である。また、画像処理部４１は、操作入力部１３から供給されるユーザの操作入力により、拡大、縮小、縦横変倍などの倍率の設定を受けたり、画像の一部置き換えの置き換え箇所の指定を受けたり、コントラスト、明度、または、彩度などの調整を受けたり、遅延時間の設定を受けたり、もしくは、静止画像の取得のタイミングの指示を受けるなどして、画像処理のパラメータの設定を変更することが可能なようになされている。なお、画像処理および表示装置３１−１の画像処理部４１は、入力画像に対して、特に処理を施さず、そのまま表示部１４に出力して表示させるようになされている。
【００７２】
次に、図７のフローチャートを参照して、画像処理および表示装置３１が実行する画像処理２について説明する。
【００７３】
ステップＳ２１において、画像入力部１１−１乃至画像入力部１１−ｎのうちのいずれか少なくとも１つは、フレーム画像データを取得し、画像処理部４１に供給する。
【００７４】
ステップＳ２２において、画像処理部４１は、画像入力部１１−１乃至画像入力部１１−ｎのうちのいずれか少なくとも１つから供給されたフレーム画像データに対して、所定の画像処理を実行して、処理済のフレーム画像データを、表示部１４および画像出力部１５−１乃至画像出力部１５−ｍのうちの所定の画像出力部に供給する。
【００７５】
ステップＳ２３において、表示部１４は、画像処理部４１から供給されたフレーム画像データに対応する動画像を表示する。
【００７６】
ステップＳ２４において、画像出力部１５−１乃至画像出力部１５−ｍのうちの少なくとも１つは、画像処理部４１から供給されたフレーム画像データを、所定のケーブルを介して他の装置に出力する。ここでも、画像出力部１５−１乃至画像出力部１５−ｍのうち、他の装置に画像データを出力する画像出力部は、所定のケーブルが接続されているか否かにより選択されるようにしても、図示しないスイッチの切り替えにより選択されるようにしても、ユーザの操作入力にしたがって、画像処理部４１が選択することができるようにしても良い。すなわち、画像出力部１５−１乃至画像出力部１５−ｍのうち、他の装置に画像データを出力する画像出力部は、ハードウェアまたはソフトウェアのどちらの制御によって切り換えられるようにしても良い。
【００７７】
ステップＳ２５において、画像入力部１１−１乃至画像入力部１１−ｎは、フレーム画像データの供給が終了されたか否かを判断する。ステップＳ２５において、フレーム画像データの供給が終了されていないと判断された場合、処理は、ステップＳ２１に戻り、それ以降の処理が繰り返される。ステップＳ２５において、フレーム画像データの供給が終了されたと判断された場合、処理が終了される。
【００７８】
このような処理により、画像処理および表示装置３１は、供給されたフレーム画像データに対して、画像処理を施し、その結果を表示するとともに、他の装置に出力する。
【００７９】
次に、図７を用いて説明した画像処理２のステップＳ２２において、図５を用いて説明したような画像処理をそれぞれ実行することが可能な画像処理および表示装置３１−１乃至画像処理および表示装置３１−９が、図５を用いて説明したように接続されていた場合の表示部１４の表示画面について、図８乃至図１２を用いて説明する。
【００８０】
以下、画像処理および表示装置３１−１に供給される動画像データを構成するフレーム画像データを、所定のタイミングｔ＝１乃至ｔ＝５（ｔ＝１乃至ｔ＝５の時間間隔は等間隔であるものとする）において抜き出したものが、図８に示されるピッチャーの投球シーンに対応するフレーム画像データであるものとして説明する。すなわち、ピッチャーの投球シーンに対応するフレーム画像データのうち、図８に示される、所定のタイミングｔ＝１乃至ｔ＝５において抜き出された５枚のフレーム画像データは、所定のｔ＝１のタイミングにおいて、ピッチャーの左足が上がるシーン１のフレーム画像データ６１であり、ｔ＝２のタイミングにおいて、ピッチャーの左足が下ろされる直前のシーン２のフレーム画像データ６２であり、ｔ＝３のタイミングにおいて、ピッチャーの右手が肩より上の位置に上がったシーン３のフレーム画像データ６３であり、ｔ＝４のタイミングにおいて、ピッチャーの右手が最高到達点近くまで振り上げられているシーン４のフレーム画像データ６４であり、ｔ＝５のタイミングにおいて、ピッチャーからボールがリリースされる直前のシーン５のフレーム画像データ６５である。
【００８１】
図９および図１０を用いて、画像処理および表示装置３１−４の画像処理部４１が、ｔ＝１乃至ｔ＝５の時間間隔と同じ時間だけ、入力されたフレーム画像データを遅延させて、表示および出力させ、画像処理および表示装置３１−５の画像処理部４１が、ユーザの操作入力に基づいて、タイミングｔ＝２の静止画像を保持して、表示および出力させるものとした場合の画像処理および表示装置３１−１乃至画像処理および表示装置３１−９の画像処理部４１の処理と表示部１４に表示される画像について説明する。
【００８２】
画像処理および表示装置３１−１に、図８を用いて説明したフレーム画像データ６１−１乃至フレーム画像データ６１−５が順次供給されるので、所定のタイミングｔ＝１において、画像処理および表示装置３１−１の表示部１４には、フレーム画像データ６１が表示される。
【００８３】
そして、フレーム画像データは、画像処理および表示装置３１−１から、画像処理および表示装置３１−２並びに画像処理および表示装置３１−４に供給される。画像処理および表示装置３１−２の画像処理部４１において、供給されたフレーム画像データが拡大されるので、タイミングｔ＝２において、画像処理および表示装置３１−２の表示部１４には、拡大されたフレーム画像データ６２が表示される。また、画像処理および表示装置３１−４の画像処理部４１において、供給されたフレーム画像データがｔ＝１乃至ｔ＝５の時間間隔と同じ時間だけディレイされるので、タイミングｔ＝２において、画像処理および表示装置３１−４の表示部１４には、フレーム画像データ６１が表示される。
【００８４】
そして、フレーム画像データは、画像処理および表示装置３１−２から、画像処理および表示装置３１−３並びに画像処理および表示装置３１−５に供給され、画像処理および表示装置３１−４から、画像処理および表示装置３１−７に供給される。画像処理および表示装置３１−３の画像処理部４１において、供給されたフレーム画像データ、すなわち、画像処理および表示装置３１−２で拡大されたフレーム画像データが変形されるので、タイミングｔ＝３において、画像処理および表示装置３１−２の表示部１４には、拡大されて変形されたフレーム画像データ６３が表示される。また、画像処理および表示装置３１−５の画像処理部４１において、供給されたフレーム画像データ、すなわち、画像処理および表示装置３１−２で拡大されたフレーム画像データのうちｔ＝２のタイミングのフレーム画像データが静止画像として保持されるので、タイミングｔ＝３において、画像処理および表示装置３１−５の表示部１４には、拡大されたフレーム画像データ６２が表示される。そして、画像処理および表示装置３１−７の画像処理部４１において、供給されたフレーム画像データ、すなわち、画像処理および表示装置３１−４においてディレイされたフレーム画像データが変形されるので、タイミングｔ＝３において、画像処理および表示装置３１−７の表示部１４には、変形されたフレーム画像データ６２が表示される。
【００８５】
次に、フレーム画像データは、画像処理および表示装置３１−３から、画像処理および表示装置３１−６に供給され、画像処理および表示装置３１−５、並びに、画像処理および表示装置３１−７から、画像処理および表示装置３１−８に供給される。画像処理および表示装置３１−６の画像処理部４１において、供給されたフレーム画像データ、すなわち、画像処理および表示装置３１−２で拡大され、画像処理および表示装置３１−３で変形されたフレーム画像データが縮小されるので、タイミングｔ＝４において、画像処理および表示装置３１−２の表示部１４には、変形されたフレーム画像データ６４が表示される。また、画像処理および表示装置３１−８の画像処理部４１において、供給された２つのフレーム画像データ、すなわち、画像処理および表示装置３１−２で拡大され、画像処理および表示装置３１−５で静止画像として保持されたｔ＝２のタイミングのフレーム画像データと、画像処理および表示装置３１−４においてディレイされ、画像処理および表示装置３１−７で変形されたフレーム画像データとが合成されるので、タイミングｔ＝４において、画像処理および表示装置３１−８の表示部１４には、拡大された静止画像であるフレーム画像データ６２と、ディレイされ、変形されたフレーム画像データ６３が表示される。
【００８６】
そして、フレーム画像データは、画像処理および表示装置３１−６から、画像処理および表示装置３１−９に供給され、画像処理および表示装置３１−８から、画像処理および表示装置３１−９に供給される。画像処理および表示装置３１−９の画像処理部４１において、画像処理および表示装置３１−８から供給されたフレーム画像データの一部が、画像処理および表示装置３１−６から供給されたフレーム画像データの一部と置き換えられるので、タイミングｔ＝５において、画像処理および表示装置３１−９の表示部１４には、変形されたフレーム画像データ６５と、ディレイされ、変形されたフレーム画像データ６４が表示される。
【００８７】
図９および図１０を用いて説明したように、画像処理および表示装置３１−１乃至画像処理および表示装置３１−９は、それぞれ、供給された画像を処理して表示するとともに、他の装置に出力する。図１１に、ｔ＝３において、画像処理および表示装置３１−１乃至画像処理および表示装置３１−９の表示部１４に表示されているフレーム画像を示す。
【００８８】
すなわち、ｔ＝３において、画像処理および表示装置３１−１の表示部１４には、フレーム画像データ６３が表示され、画像処理および表示装置３１−２の表示部１４には、拡大されたフレーム画像データ６３が表示され、画像処理および表示装置３１−３の表示部１４には、拡大され、変形されたフレーム画像データ６３が表示される。そして、ｔ＝３において、画像処理および表示装置３１−４の表示部１４には、ディレイされているためフレーム画像データ６２が表示され、画像処理および表示装置３１−５の表示部１４には、拡大された静止画像のフレーム画像データ６２が表示され、画像処理および表示装置３１−６の表示部１４には、変形されたフレーム画像データ６３が表示される。そして、ｔ＝３において、画像処理および表示装置３１−７の表示部１４には、ディレイされ、変形されたフレーム画像データ６２が表示され、画像処理および表示装置３１−８の表示部１４には、ディレイされ、変形されたフレーム画像データ６２と拡大された静止画像のフレーム画像データ６２とが合成されて表示され、画像処理および表示装置３１−９の表示部１４には、ディレイされ、変形されたフレーム画像データ６２と、変形されたフレーム画像データ６３が合成されて表示される。
【００８９】
そして、図１２に、ｔ＝４において、画像処理および表示装置３１−１乃至画像処理および表示装置３１−９の表示部１４に表示されているフレーム画像を示す。
【００９０】
すなわち、ｔ＝４において、画像処理および表示装置３１−１の表示部１４には、フレーム画像データ６４が表示され、画像処理および表示装置３１−２の表示部１４には、拡大されたフレーム画像データ６４が表示され、画像処理および表示装置３１−３の表示部１４には、拡大され、変形されたフレーム画像データ６４が表示される。そして、ｔ＝４において、画像処理および表示装置３１−４の表示部１４には、ディレイされているためフレーム画像データ６３が表示され、画像処理および表示装置３１−５の表示部１４には、拡大された静止画像のフレーム画像データ６２が表示され、画像処理および表示装置３１−６の表示部１４には、変形されたフレーム画像データ６４が表示される。そして、ｔ＝４において、画像処理および表示装置３１−７の表示部１４には、ディレイされ、変形されたフレーム画像データ６３が表示され、画像処理および表示装置３１−８の表示部１４には、ディレイされ、変形されたフレーム画像データ６３と拡大された静止画像のフレーム画像データ６２とが合成されて表示され、画像処理および表示装置３１−９の表示部１４には、ディレイされ、変形されたフレーム画像データ６３と変形されたフレーム画像データ６４が合成されて表示される。
【００９１】
ユーザは、画像処理および表示装置３１−１乃至画像処理および表示装置３１−９のそれぞれの表示部１４に表示される、入力画像、加工途中の画像、および、最終的に得られる画像を、全て参照することができるので、それらの表示画像を参照しながら装置の接続を変更、すなわち、装置間の接続関係を変更し、途中の処理過程を変更することにより、簡単に、所望の画像を得ることが可能となる。
【００９２】
例えば、最終的に得られる加工画像データに対応する画像を表示する画像処理および表示装置３１−９の表示部１４に表示されている画像のうち、左半分に表示されている、ディレイされて変形された動画像を、拡大させて表示させたい場合、画像処理および表示装置３１−７から出力される信号を、画像処理および表示装置３１−２に入力し、画像処理および表示装置３１−２から出力される信号を、画像処理および表示装置３１−８に供給するようにすればよい。また、最終的に得られる加工画像データに対応する画像を表示する画像処理および表示装置３１−９の表示部１４に表示されている画像のうち、右半分に表示される縦長に変形された動画像を所定のタイミングの静止画像に変更したいとき、画像処理および表示装置３１−１から出力される信号を画像処理および表示装置３１−５に供給し、画像処理および表示装置３１−５から出力される信号を、画像処理および表示装置３１−９に供給するようにすればよい。
【００９３】
このように、本発明を適用した画像処理および表示装置３１を複数台組み合わせて接続することにより、時間の経過に伴って変化する動画像に対しても、入力される動画像、加工途中の画像、および、最終的に得られる画像を参照し、装置の接続を変更、すなわち、装置間の接続関係を変更し、途中の処理過程を変更することにより、簡単に、所望の画像を得ることが可能となる。
【００９４】
また、ユーザは、必要な画像処理を実行可能な画像処理および表示装置３１を選択して、必要な数だけ購入することができるので、例えば、不必要な処理を実行する機能を含む複数の基板が予め装着された装置を購入するときのように、不必要な処理を実行する機能に対して代金を支払う必要がなくなる。
【００９５】
上述した画像処理および表示装置１、並びに、画像処理および表示装置３１は、１つの種類の画像処理のみしか実行することができなかったが、例えば、画像処理システムのうちの少なくとも１台を、２つ以上の複数の画像処理のうち、ユーザが選択した１つの画像処理を実行し、処理後の画像を表示するとともに出力することが可能な画像処理および表示装置に置き換えるようにしてもよい。図１３は、本発明を適応した第３の実施の形態における画像処理システムの構成例を示すブロック図である。
【００９６】
図１３の画像処理システムにおいては、図５を用いて説明した画像処理システムの、画像処理および表示装置３１−１乃至画像処理および表示装置３１−９のうち、画像処理および表示装置３１−５乃至画像処理および表示装置３１−７に代わって、２つ以上の複数の画像処理のうち、ユーザが選択した１つの画像処理を実行し、処理後の画像を表示するとともに出力することが可能な、画像処理および表示装置８１−１乃至画像処理および表示装置８１−３が設けられている。また、画像処理および表示装置３１−１乃至画像処理および表示装置３１−４、表示装置３１−８並びに画像処理および表示装置３１−９、画像処理および表示装置８１−１乃至画像処理および表示装置８１−３は、それぞれ、所定のケーブルにより他の装置と接続され、複数の入力フレーム画像データを取得することができるとともに、複数の出力先に処理結果のフレーム画像データを出力することができるようになされている。フレーム画像データの供給元、または、フレーム画像データの出力先の変更は、予め複数の装置間がケーブルで接続されている場合、スイッチなどを設け、そのスイッチを適宜制御することにより、任意の装置間の接続関係を構築することができるようにしたり、装置間のケーブルの接続を変更することにより容易に行うことができる。
【００９７】
図１３に示される画像処理システムにおいても、画像処理および表示装置３１−１は、入力された動画像を表示するのみとして、入力フレーム画像を画像処理および表示装置３１−２並びに画像処理および表示装置３１−４に出力する。画像処理および表示装置３１−２は、供給されたフレーム画像データを所定の倍率（例えば、入力画像に対して２００％）に拡大して、拡大された動画像を表示するとともに、画像処理および表示装置３１−３並びに画像処理および表示装置８１−１に供給する。画像処理および表示装置３１−３は、供給されたフレーム画像データを変形（例えば、横方向のみ入力画像に対して３０％に縮小して変形）し、変形された動画像を表示するとともに、画像処理および表示装置８１−２に供給する。
【００９８】
画像処理および表示装置３１−４は、供給されたフレーム画像データを所定時間ディレイ（遅延）させ、ディレイされた動画像を表示するとともに、画像処理および表示装置８１−３に供給する。画像処理および表示装置８１−１は、供給されたフレーム画像データを、ユーザが指定したタイミングでスチルし、得られた静止画像を表示するとともに、指定されたタイミングで得られたフレーム画像データを、動画像データを構成するフレーム画像データと同様のフレームレートで、画像処理および表示装置３１−８に供給するか、または、供給されたフレーム画像データを変形（例えば、横方向のみ入力画像に対して１５０％に拡大して変形）し、変形された動画像を表示するとともに、画像処理および表示装置３１−８に供給する。画像処理および表示装置８１−２は、供給されたフレーム画像データを縮小（例えば、入力画像に対して５０％に縮小）して、縮小された動画像を表示するとともに、画像処理および表示装置３１−９に供給するか、または、供給されたフレーム画像データを所定の倍率（例えば、入力画像に対して２００％）に拡大して、拡大された動画像を表示するとともに、画像処理および表示装置３１−９に供給する。
【００９９】
画像処理および表示装置８１−３は、供給されたフレーム画像データを変形（例えば、横方向のみ入力画像に対して１５０％に拡大して変形）し、変形された動画像を表示するとともに、画像処理および表示装置３１−８に供給するか、または、供給されたフレーム画像データを所定時間ディレイ（遅延）させ、ディレイされた動画像を表示するとともに、画像処理および表示装置３１−８に供給する。画像処理および表示装置３１−８は、画像処理および表示装置８１−１並びに画像処理および表示装置８１−３から供給されたフレーム画像データを合成（例えば、それぞれの動画像のうちの少なくとも一部を、作成される画像の右半分と左半分にそれぞれ配置）して、合成された動画像を表示するとともに、画像処理および表示装置３１−９に供給する。画像処理および表示装置３１−９は、供給された一方のフレーム画像データのうちの一部を、他方のフレーム画像データの一部と置き換えて（例えば、画像処理および表示装置３１−８から供給されたフレーム画像データのうちの左半分を、画像処理および表示装置８１−２から供給されるフレーム画像データの中央部分と置き換えて）、一部置き換えにより作成された動画像を表示するとともに、作成されたフレーム画像データを必要に応じて出力可能なようになされている。
【０１００】
以下、画像処理および表示装置８１−１乃至画像処理および表示装置８１−３を個々に区別する必要がない場合、単に、画像処理および表示装置８１と総称する。
【０１０１】
なお、第３の実施の形態においては、以下、図１３に示されるように、画像処理および表示装置３１−１乃至画像処理および表示装置３１−４、表示装置３１−８並びに画像処理および表示装置３１−９、画像処理および表示装置８１−１乃至画像処理および表示装置８１−３の９つの装置を用いて画像処理システムを構成するものとして説明しているが、本発明を適用した画像処理システムを構成する画像処理および表示装置３１および画像処理および表示装置８１の合計数は、９以外のいかなる数であってもかまわないことは言うまでもない。
【０１０２】
また、本実施の形態においては、動画像を処理する画像処理システムにおいて、そのうちの少なくとも１台を、２つ以上の複数の画像処理のうち、ユーザが選択した１つの画像処理を実行し、処理後の画像を表示するとともに出力することが可能な画像処理および表示装置に置き換えた場合について説明するが、動画像を処理する画像処理システムのみならず、第１の実施の形態において説明したような静止画像を処理する画像処理システムにおいても、そのうちの少なくとも１台を、２つ以上の複数の画像処理のうち、ユーザが選択した１つの画像処理を実行し、処理後の画像を表示するとともに出力することが可能な画像処理および表示装置に置き換えるようにしてもよいことは言うまでもない。
【０１０３】
図１４は、画像処理および表示装置８１の構成を示すブロック図である。なお、図６における場合と対応する部分には同一の符号を付してあり、その説明は適宜省略する。
【０１０４】
すなわち、図１４の画像処理および表示装置８１は、画像処理切り換え部９１が新たに設けられ、画像処理部４１に代わって、２つの画像処理部９２−１および画像処理部９２−２が設けられている以外は、図６の画像処理および表示装置３１と同様の構成を有するものである。
【０１０５】
画像処理切り換え部９１は、操作入力部１３から供給されるユーザの操作入力に基づいて、画像処理部９２−１および９２−２のうちのいずれか一方のみに画像処理を行わせるように制御する。
【０１０６】
画像処理部９２−１および９２−２は、拡大、縮小、変倍などを含む画像の変形、回転、色反転、合成、一部置き換え、静止画像の保持、動画像の表示の遅延処理などのほかに、例えば、画像の左右反転や上下反転などの処理も可能であり、更に、カラー画像をグレースケール表示したり、コントラスト、明度、彩度などを変更したり、２値化したり、画像データに対してフィルタリングやマスクを施す処理のうちのいずれかの機能を有している。そして、画像処理部９２−１および９２−２は、画像処理切り換え部９１の制御に基づいて、いずれか一方のみが処理を実行するようになされている。また、画像処理部９２−１および９２−２は、操作入力部１３から供給されるユーザの操作入力により、拡大、縮小、縦横変倍などの倍率の設定を受けたり、画像の一部置き換えの置き換え箇所の指定を受けたり、コントラスト、明度、または、彩度などの調整を受けたり、遅延時間の設定を受けたり、もしくは、静止画像の取得のタイミングの指示を受けるなどして、画像処理のパラメータの設定を変更することが可能なようになされている。
【０１０７】
なお、図１４においては、画像処理および表示装置８１は、画像処理部９２−１および９２−２の２つの画像処理部を備えるものとして説明しているが、画像処理部は、２つ以上備えていてもよく、画像処理切り換え部９１は、操作入力部１３から供給されるユーザの操作入力に基づいて、複数の画像処理部のうちのいずれか１つに画像処理を行わせるように制御することができるようにしてもよい。
【０１０８】
次に、図１５のフローチャートを参照して、画像処理および表示装置８１が実行する画像処理３について説明する。
【０１０９】
ステップＳ４１において、画像処理切り換え部９１は、操作入力部１３から供給されるユーザの操作入力に基づいて、画像処理部９２−１および９２−２のうちのいずれか一方を選択して、画像処理を実行させるように制御する。
【０１１０】
ステップＳ４２において、画像入力部１１−１乃至画像入力部１１−ｎのうちのいずれか少なくとも１つは、フレーム画像データを取得し、画像処理部９２−１および９２−２のうちのいずれか一方に供給する。
【０１１１】
ステップＳ４３において、画像処理部９２−１および９２−２のうちのいずれか一方は、画像入力部１１−１乃至画像入力部１１−ｎのうちのいずれか少なくとも１つから供給されたフレーム画像データに対して、所定の画像処理を実行して、処理済のフレーム画像データを、表示部１４および画像出力部１５−１乃至画像出力部１５−ｍのうちの所定の画像出力部に供給する。
【０１１２】
ステップＳ４４において、表示部１４は、画像処理部９２−１または９２−２から供給されたフレーム画像データに対応する動画像を表示する。
【０１１３】
ステップＳ４５において、画像出力部１５−１乃至画像出力部１５−ｍのうちの少なくとも１つは、画像処理部９２−１または９２−２から供給されたフレーム画像データを、所定のケーブルを介して他の装置に出力する。ここでも、画像出力部１５−１乃至画像出力部１５−ｍのうち、他の装置に画像データを出力する画像出力部は、所定のケーブルが接続されているか否かにより選択されるようにしても、図示しないスイッチの切り替えにより選択されるようにしても、ユーザの操作入力にしたがって、画像処理部９２−１または９２−２が選択することができるようにしても良い。すなわち、画像出力部１５−１乃至画像出力部１５−ｍのうち、他の装置に画像データを出力する画像出力部は、ハードウェアまたはソフトウェアのどちらの制御によって切り換えられるようにしても良い。
【０１１４】
ステップＳ４６において、画像入力部１１−１乃至画像入力部１１−ｎは、フレーム画像データの供給が終了されたか否かを判断する。ステップＳ４６において、フレーム画像データの供給が終了されたと判断された場合、処理が終了される。
【０１１５】
ステップＳ４６において、フレーム画像データの供給が終了されていないと判断された場合、ステップＳ４７において、画像処理切り換え部９１は、操作入力部１３から供給される信号に基づいて、画像処理の種類を変更するユーザの操作入力を受けたか否かを判断する。ステップＳ４７において、画像処理の種類を変更するユーザの操作入力を受けていないと判断された場合、処理は、ステップＳ４２に戻り、それ以降の処理が繰り返される。ステップＳ４７において、画像処理の種類を変更するユーザの操作入力を受けたと判断された場合、処理は、ステップＳ４１に戻り、それ以降の処理が繰り返される。
【０１１６】
このような処理により、画像処理および表示装置８１は、供給されたフレーム画像データに対して、ユーザにより選択された種類の画像処理を施し、その結果を表示するとともに、他の装置に出力することができる。
【０１１７】
次に、図１６および図１７を用いて、図１３の画像処理システムにおいて、画像処理および表示装置３１−１乃至画像処理および表示装置３１−４、表示装置３１−８並びに画像処理および表示装置３１−９、画像処理および表示装置８１−１乃至画像処理および表示装置８１−３のそれぞれの表示部１４に表示される画像について説明する。
【０１１８】
ここでも、画像処理および表示装置３１−１に供給される動画像データを構成するフレーム画像データを、所定のタイミングｔ＝１乃至ｔ＝５（ｔ＝１乃至ｔ＝５の時間間隔は等間隔であるものとする）において抜き出したものが、図８に示されるピッチャーの投球シーンに対応するフレーム画像データとなるものとして説明する。
【０１１９】
図１６を用いて、画像処理および表示装置８１−１が実行する処理として、変形が選択され、画像処理および表示装置８１−２が実行する処理として、拡大が選択され、画像処理および表示装置８１−３が実行する処理として、ディレイが選択された場合の、ｔ＝３における、画像処理および表示装置３１−１乃至画像処理および表示装置３１−４、表示装置３１−８並びに画像処理および表示装置３１−９、画像処理および表示装置８１−１乃至画像処理および表示装置８１−３のそれぞれの表示部１４に表示される画像について説明する。なお、画像処理および表示装置３１−４並びに画像処理および表示装置８１−３のそれぞれの画像処理部４１は、ｔ＝１乃至ｔ＝５の時間間隔と同じ時間だけ、入力されたフレーム画像データを遅延させて表示および出力するものとして説明する。
【０１２０】
ｔ＝３において、画像処理および表示装置３１−１の表示部１４には、フレーム画像データ６３が表示され、画像処理および表示装置３１−２の表示部１４には、拡大されたフレーム画像データ６３が表示され、画像処理および表示装置３１−３の表示部１４には、拡大され、変形されたフレーム画像データ６３が表示される。そして、ｔ＝３において、画像処理および表示装置３１−４の表示部１４には、ディレイされているためフレーム画像データ６２が表示され、画像処理および表示装置８１−１の表示部１４には、拡大され変形されたフレーム画像データ６３が表示され、画像処理および表示装置８１−２の表示部１４には、変形され、更に拡大されたフレーム画像データ６３が表示される。そして、ｔ＝３において、画像処理および表示装置８１−３の表示部１４には、更にディレイされるため、フレーム画像データ６１が表示され、画像処理および表示装置３１−８の表示部１４には、２タイミング分ディレイされたフレーム画像データ６１と、拡大され、変形されたフレーム画像データ６３とが合成されて表示され、画像処理および表示装置３１−９の表示部１４には、２タイミング分ディレイされたフレーム画像データ６１と、変形され、拡大されたフレーム画像データ６３とが、合成されて表示される。
【０１２１】
図１６に示される状態において、ユーザが、装置の接続を変更することなく、画像処理および表示装置８１−１乃至画像処理および表示装置８１−３が実行する処理を切り換えた場合のｔ＝３におけるそれぞれの表示部１４に表示される画像について、図１７を用いて説明する。すなわち、図１７に示される場合においては、画像処理および表示装置８１−１が実行する処理として、スチルが選択されて、ｔ＝２において静止画像が取得され、画像処理および表示装置８１−２が実行する処理として、縮小が選択され、画像処理および表示装置８１−３が実行する処理として、変形が選択されたものとして説明する。
【０１２２】
このとき、画像処理および表示装置３１−１乃至画像処理および表示装置３１−４の表示部１４に表示される画像は、図１６における場合と同一である。そして、ｔ＝３において、画像処理および表示装置８１−１の表示部１４には、拡大された静止画像のフレーム画像データ６２が表示され、画像処理および表示装置８１−２の表示部１４には、変形されたフレーム画像データ６３が表示される。また、ｔ＝３において、画像処理および表示装置８１−３の表示部１４には、ディレイされ、変形された、フレーム画像データ６２が表示され、画像処理および表示装置３１−８の表示部１４には、ディレイされ、変形されたフレーム画像データ６２と、拡大された静止画像のフレーム画像データ６２とが合成されて表示され、画像処理および表示装置３１−９の表示部１４には、ディレイされ、変形されたフレーム画像データ６２と、変形されたフレーム画像データ６３が合成されて表示される。
【０１２３】
画像処理および表示装置８１を少なくとも１台含む画像処理システムを利用するユーザは、それぞれの画像処理および表示装置の表示部１４に表示される、入力画像、加工途中の画像、および、最終的に得られる画像を、全て参照することができるので、それらの表示画像を参照しながら、装置の接続を変更するのみならず、所望の装置の画像処理の種類を変更することによって、簡単に、所望の画像を得ることが可能となる。
【０１２４】
また、ユーザは、必要な画像処理を実行可能な画像処理および表示装置３１や画像処理を実行可能な画像処理および表示装置８１を選択して、必要な数だけ購入することができるので、例えば、不必要な処理を実行する機能を含む複数の基板が予め装着された装置を購入するときのように、不必要な処理を実行する機能に対して代金を支払う必要がなくなる。
【０１２５】
以上説明した画像処理システムにおいては、複数の画像処理および表示装置を有線で接続し、それぞれの画像処理および表示装置の表示部１４に表示される、入力画像、加工途中の画像、および、最終的に得られる画像を、ユーザが全て参照することができるようにしたものであったが、１台の画像処理装置を用いて、同様の効果を得ることができるようにしてもよい。
【０１２６】
図１８は、本発明を適応した第４の実施の形態における画像処理装置１２１の構成を示すブロック図である。
【０１２７】
画像処理装置１２１は、複数の画像処理および表示処理部１４１−１乃至１４１−ｘで構成される画像処理ブロック１３１、操作入力部１３２、および、制御部１３３で構成されている。
【０１２８】
画像処理ブロック１３１の画像処理および表示処理部１４１−１乃至１４１−ｘは、それぞれ、所定の画像処理と、処理済の画像の表示を行うことが可能である。なお、画像処理および表示処理部１４１−１は、入力画像に対して、特に処理を施さず、そのまま表示するようにしてもよい。また、画像処理ブロック１３１の画像処理および表示処理部１４１−１乃至１４１−ｘのそれぞれの信号の入出力は、制御部１３３により制御される。操作入力部１３２は、ボタン、キー、レバー、タッチパネルなどの操作入力部や、図示しないリモートコマンダからの赤外線信号などを受信可能な赤外線受信部により構成され、ユーザの操作入力を受け、ユーザの操作入力に対応する信号を、制御部１３３に供給する。
【０１２９】
制御部１３３は、操作入力部１３２から供給されるユーザの操作入力により、拡大、縮小、縦横変倍などの倍率の設定を受けたり、画像の一部置き換えの置き換え箇所の指定を受けたり、もしくは、コントラスト、明度、または、彩度などの調整を受け、画像処理のパラメータの設定を変更するための制御信号を生成して、画像処理ブロック１３１の画像処理および表示処理部１４１−１乃至１４１−ｘのうちの対応する部分に供給したり、操作入力部１３２から、画像処理ブロック１３１の画像処理および表示処理部１４１−１乃至１４１−ｘのそれぞれに入力される信号、または、処理後の画像データの出力先を指定する操作入力を受け、画像信号の入出力を制御するための制御信号を生成して、画像処理ブロック１３１の画像処理および表示処理部１４１−１乃至１４１−ｘのうちの対応する部分に供給する。
【０１３０】
以下、画像処理および表示処理部１４１−１乃至１４１−ｘを個々に区別する必要がない場合、単に、画像処理および表示処理部１４１と総称する。
【０１３１】
図１９は、図１８の画像処理および表示処理部１４１の構成を示すブロック図である。なお、図１４における場合と対応する部分には同一の符号を付してあり、その説明は適宜省略する。
【０１３２】
すなわち、図１９の画像処理および表示処理部１４１は、操作入力部１３に代わって、操作入力信号取得部１５１が設けられ、新たに、入力画像切り換え部１５２と画像出力先切り換え部１５３が設けられている以外は、基本的に、図１４の画像処理装置および表示装置８１と同様の構成を有するものである。
【０１３３】
操作入力信号取得部１５１は、制御部１３３から、ユーザの操作入力により生成された制御信号の入力を受け、画像処理ブロック１３１の画像処理および表示処理部１４１−１乃至１４１−ｘのそれぞれから入力される画像データを指定するための制御信号を、入力画像切り換え部１５２に供給し、画像処理を切り換えるための制御信号を、画像処理切り換え部９１に供給し、画像処理画像処理のパラメータの設定を変更するための制御信号を、画像処理部９２−１または画像処理部９２−２に供給し、処理後の画像データの出力先を指定する制御信号を、画像出力先切り換え部１５３に供給する。
【０１３４】
入力画像切り換え部１５２は、操作入力信号取得部１５１から供給された制御信号を基に、画像入力部１１−１乃至画像入力部１１−ｎが取得する画像データの取得元を制御し、ユーザに指定された画像データが、画像処理部９２−１または画像処理部９２−２に供給されるようにする。
【０１３５】
画像出力先切り換え部１５３は、操作入力信号取得部１５１から供給された制御信号を基に、画像出力部１５−１乃至画像出力部１５−ｍにより出力される画像データの出力先を制御する。
【０１３６】
なお、図１９においては、画像処理および表示処理部１４１は、画像処理部９２−１および９２−２の２つの画像処理部を備えるものとして説明しているが、画像処理部は、２つ以上備えていてもよく、画像処理切り換え部９１は、操作入力信号取得部１５１から供給されるユーザの操作入力に基づいて、複数の画像処理部のうちのいずれか１つに画像処理を行わせるように制御することができるようにしてもよい。
【０１３７】
次に、図２０のフローチャートを参照して、画像処理および表示処理部１４１画像処理および表示装置８１が実行する画像処理４について説明する。なお、画像処理４が実行されることにより、表示部１４に表示される画像については、画像処理および表示処理部１４１の数やそれらの相互の接続が異なるだけで、基本的に、図１６または図１７を用いて説明した場合と同様であるので、その説明は省略する。
【０１３８】
ステップＳ６１において、操作入力信号取得部１５１は、制御部１３３から、ユーザの操作入力に基づいて生成された制御信号の入力を受け、入力画像切り換え部１５２および画像出力先切り換え部１５３に対応する制御信号を供給することにより、画像データの入力元、または、画像データの出力先を設定させる。入力画像切り換え部１５２は、操作入力信号取得部１５１から供給された制御信号を基に、画像入力部１１−１乃至画像入力部１１−ｎが取得する画像データの取得元を制御し、ユーザに指定された画像データが、画像処理部９２−１または画像処理部９２−２に供給されるようにする。そして、画像出力先切り換え部１５３は、操作入力信号取得部１５１から供給された制御信号を基に、画像出力部１５−１乃至画像出力部１５−ｍにより出力される画像データの出力先を制御する。
【０１３９】
ステップＳ６２において、操作入力信号取得部１５１は、制御部１３３から、ユーザの操作入力に基づいて生成された制御信号の入力を受け、画像処理切り換え部９１に対応する制御信号を供給することにより、画像処理の種類を選択させる。画像処理切り換え部９１は、操作入力部１３から供給されるユーザの操作入力に基づいて、画像処理部９２−１および９２−２のうちのいずれか一方を選択して、画像処理を実行させるように制御する。
【０１４０】
ステップＳ６３において、画像入力部１１−１乃至画像入力部１１−ｎのうちのいずれか少なくとも１つは、フレーム画像データを取得し、画像処理部９２−１および９２−２のうちのいずれか一方に供給する。
【０１４１】
ステップＳ６４において、画像処理部９２−１および９２−２のうちのいずれか一方は、画像入力部１１−１乃至画像入力部１１−ｎのうちのいずれか少なくとも１つから供給されたフレーム画像データに対して、所定の画像処理を実行して、処理済のフレーム画像データを、表示部１４および画像出力部１５−１乃至画像出力部１５−ｍのうちの所定の画像出力部に供給する。
【０１４２】
ステップＳ６５において、表示部１４は、画像処理部９２−１または９２−２から供給されたフレーム画像データに対応する動画像を表示する。
【０１４３】
ステップＳ６６において、画像出力部１５−１乃至画像出力部１５−ｍのうちの少なくとも１つは、画像処理部９２−１または９２−２から供給されたフレーム画像データを、所定のケーブルを介して他の装置に出力する。
【０１４４】
ステップＳ６７において、画像入力部１１−１乃至画像入力部１１−ｎは、フレーム画像データの供給が終了されたか否かを判断する。ステップＳ６７において、フレーム画像データの供給が終了されたと判断された場合、処理が終了される。
【０１４５】
ステップＳ６７において、フレーム画像データの供給が終了されていないと判断された場合、ステップＳ６８において、操作入力信号取得部１５１は、制御部１３３から、ユーザの操作入力に基づいて生成された制御信号の入力を受け、画像データの入力元、または、画像データの出力先を変更するユーザの操作入力、もしくは、画像処理の種類を変更するユーザの操作入力を受けたか否かを判断する。ステップＳ６８において、これらの変更を指令するユーザの操作入力を受けていないと判断された場合、処理は、ステップＳ６３に戻り、それ以降の処理が繰り返される。ステップＳ６８において、これらの変更を指令するユーザの操作入力を受けたと判断された場合、処理は、ステップＳ６１に戻り、それ以降の処理が繰り返される。
【０１４６】
このような処理により、画像処理および表示処理部１４１は、ユーザにより指定された供給元から供給されたフレーム画像データに対して、ユーザにより選択された種類の画像処理を施し、その結果を表示するとともに、ユーザにより指定された出力先に、処理結果である画像データを出力することができる。
【０１４７】
以上説明したように、ユーザが画像データに対して複数の画像処理を行うことにより画像を加工する場合、本発明を適用することにより、入力画像、加工途中の画像、および、最終的に得られる画像を、全て参照することができるので、それらの表示画像を参照しながら装置の接続を変更することなどにより、途中の処理過程を容易に変更して、ユーザにとって所望の処理の組合せを簡単に実現させることができるようになる。また、本発明を適用することにより、最終的に作成される画像およびそれぞれの画像処理の過程で作成される画像を表示させるようにすることができる。
【０１４８】
更に、画像を処理し表示する装置が個別に設けられている画像処理システムにおいては、ユーザは、必要な画像処理を実行可能な装置のみを選択して、必要な数だけ購入することができるので、例えば、不必要な処理を実行する機能を含む複数の基板が予め装着された装置を購入するときのように、不必要な処理を実行する機能に対して代金を支払う必要がなくなる。
【０１４９】
なお、本明細書において、システムとは、複数の装置により構成される装置全体を表すものである。
【図面の簡単な説明】
【０１５０】
【図１】本発明を適用した第１の実施の形態における画像処理システムの構成を示すブロック図である。
【図２】図１の画像処理および表示装置の構成を示すブロック図である。
【図３】画像処理１について説明するためのフローチャートである。
【図４】図１の画像処理システムによって表示される画像について説明するための図である。
【図５】本発明を適用した第２の実施の形態における画像処理システムの構成を示すブロック図である。
【図６】図５の画像処理および表示装置の構成を示すブロック図である。
【図７】画像処理２について説明するためのフローチャートである。
【図８】図５の画像処理システムによって表示される画像について説明するための図である。
【図９】図５の画像処理システムによって表示される画像について説明するための図である。
【図１０】図５の画像処理システムによって表示される画像について説明するための図である。
【図１１】図５の画像処理システムによって表示される画像について説明するための図である。
【図１２】図５の画像処理システムによって表示される画像について説明するための図である。
【図１３】本発明を適用した第３の実施の形態における画像処理システムの構成を示すブロック図である。
【図１４】図１３の画像処理および表示装置の構成を示すブロック図である。
【図１５】画像処理３について説明するためのフローチャートである。
【図１６】図１３の画像処理システムによって表示される画像について説明するための図である。
【図１７】図１３の画像処理システムによって表示される画像について説明するための図である。
【図１８】本発明を適用した第４の実施の形態における画像処理装置の構成を示すブロック図である。
【図１９】図１８の画像処理および表示処理部の構成を示すブロック図である。
【図２０】画像処理４について説明するためのフローチャートである。
【符号の説明】
【０１５１】
１  画像処理および表示装置，  １１  画像入力部，  １２  画像処理部，  １３  操作入力部，  １４  表示部，  １５  画像出力部，  ３１，  画像処理および表示装置，  ４１  画像処理部，  ６１乃至６５  フレーム画像データ，  ８１  画像処理および表示装置，  ９１  画像処理切り換え部，  ９２  画像処理部，  １２１  画像処理装置，  １３１  画像処理ブロック，  １３２  操作入力部，  １３３  制御部，  １４１  画像処理および表示処理部，  １５１  操作入力信号取得部，  １５２  入力信号切り換え部，  １５３  画像出力先切り換え部
【図１】
2005203852.tif 000003
【図２】
2005203852.tif 000004
【図３】
2005203852.tif 000005
【図４】
2005203852.tif 000006
【図５】
2005203852.tif 000007
【図６】
2005203852.tif 000008
【図７】
2005203852.tif 000009
【図８】
2005203852.tif 000010
【図９】
2005203852.tif 000011
【図１０】
2005203852.tif 000012
【図１１】
2005203852.tif 000013
【図１２】
2005203852.tif 000014
【図１３】
2005203852.tif 000015
【図１４】
2005203852.tif 000016
【図１５】
2005203852.tif 000017
【図１６】
2005203852.tif 000018
【図１７】
2005203852.tif 000019
【図１８】
2005203852.tif 000020
【図１９】
2005203852.tif 000021
【図２０】
2005203852.tif 000022